(57)【要約】【課題】身体に振動を付与することによる効果と、電極を介して身体の筋肉などに電気刺激を与えることによる効果との双方、あるいは、この中の任意に選択したどちらか一方の効果を与えることのできる健康器具を提供する。【解決手段】人体の一部に巻き付け装着されて使用される健康器具であって、内蔵している振動器による振動を前記人体に伝搬させる振動伝達部と、電極を介して人体に電気刺激を与える電気刺激付与部と、前記電気刺激付与部の上に積層されている導電性及び粘着性を有する粘着シートとを備えている健康器具。【選択図】図２
2019217120.tif 000002
【特許請求の範囲】
【請求項１】
人体の一部に巻き付け装着されて使用される健康器具であって、
内蔵している振動器による振動を前記人体に伝搬させる振動伝達部と、
電極を介して人体に電気刺激を与える電気刺激付与部と
前記電気刺激付与部の上に積層されている導電性及び粘着性を有する粘着シートと
を備えている健康器具。
【請求項２】
前記電気刺激付与部は、前記健康器具が前記人体の一部に巻き付け装着された際に、前記振動伝達部が前記人体に対面する箇所に設けられている請求項１記載の健康器具。
【請求項３】
前記健康器具を前記人体の一部に巻き付け装着する着脱手段を更に備える請求項１又は２記載の健康器具。
【発明の詳細な説明】
【技術分野】
【０００１】
この発明は、健康器具に関する。
【背景技術】
【０００２】
従来からマッサージ器具等の健康器具について種々の提案が行われている。特許文献１には身体に巻き付けて装着するベルト様の装着具に振動器を取り付け、振動器からの振動を身体に付与する形態の健康器具が提案されている。特許文献２には電極を身体に張り付け、当該電極を介して身体の筋肉に電気刺激を与える筋肉電気刺激装置（いわゆるＥＭＳ装置）と呼ばれる健康装置が提案されている。上記特許文献を含む従来の健康器具は、人間の健康面などにおいてそれぞれ効果を発揮するものである。
【先行技術文献】
【特許文献】
【０００３】
【特許文献１】実用新案登録第３１２２１６０号公報
【特許文献２】特開２０１６−２０２７９６号公報
【発明の概要】
【発明が解決しようとする課題】
【０００４】
この発明は、身体に振動を付与することによる効果と、電極を介して身体の筋肉などに電気刺激を与えることによる効果との双方、あるいは、この中の任意に選択したどちらか一方の効果を与えることのできる健康器具を提供することを目的とする。
【課題を解決するための手段】
【０００５】
［１］
人体の一部に巻き付け装着されて使用される健康器具であって、
内蔵している振動器による振動を前記人体に伝搬させる振動伝達部と、
電極を介して人体に電気刺激を与える電気刺激付与部と
前記電気刺激付与部の上に積層されている導電性及び粘着性を有する粘着シートと
を備えている健康器具。
【０００６】
［２］
前記電気刺激付与部は、前記健康器具が前記人体の一部に巻き付け装着された際に、前記振動伝達部が前記人体に対面する箇所に設けられている［１］の健康器具。
【０００７】
［３］
前記健康器具を前記人体の一部に巻き付け装着する着脱手段を更に備える［１］又は［２］２健康器具。
【発明の効果】
【０００８】
この発明によれば、身体に振動を付与することによる効果と、電極を介して身体の筋肉などに電気刺激を与えることによる効果との双方、あるいは、この中の任意に選択したどちらか一方の効果を与えることのできる健康器具を提供することができる。
【図面の簡単な説明】
【０００９】
【図１】本発明の実施形態の一例であって、正面側を表す斜視図である。
【図２】図１に示す健康器具の背面側を表す斜視図である。
【図３】（ａ）振動伝達部が人体に対面する箇所に設けられている電気刺激付与部を表す一部を省略した図、（ｂ）電気刺激付与部の上に積層されている導電性及び粘着性を有する粘着シートを表す一部を省略した図。
【図４】本実施形態に係る健康器具を装着した人体の平面図を表す図であり、人体の一部を省略した図である。
【発明を実施するための形態】
【００１０】
以下、添付図面を参照して、本発明の実施形態の一例を説明する。
【００１１】
本実施形態の健康器具１は、人体の一部に巻き付け装着されて使用されるものであって、内蔵している振動器による振動を人体に伝搬させる振動伝達部と、電極を介して人体に電気刺激を与える電気刺激付与部と、前記電気刺激付与部の上に積層されている導電性及び粘着性を有する粘着シートとを備えている。
【００１２】
図１〜図３図示の実施形態では、健康器具１は、本体部２、振動器４、電極部１０、粘着シート１１を備えている。
【００１３】
健康器具１において、内蔵している振動器による振動を人体に伝搬させる振動伝達部は、振動器４を内蔵している本体部２を備えて構成されている。振動器４は図１、図２に示すように、本体部２の内部に配備され、緩衝効果を奏する緩衝材（不図示）によって本体部２の内部で固定されている。
【００１４】
図１〜図３図示の健康器具１は、これを人体の一部（例えば、腹部など）に巻き付け装着する着脱手段を備えている。図１〜図３図示の健康器具１では、本体部２を人体に着脱可能な着脱手段としてのベルト５及びベルト環７とを備えた着脱手段になっている。
【００１５】
本体部２は袋体３を備えている。図示の形態の袋体３は、合成樹脂を平面視で半円柱型に形成した形状としている。本体部２を人体に着脱可能な着脱手段としてのベルト５及びベルト環７とを備えた着脱手段によって健康器具１を人体の一部（例えば、腹部など）に巻き付け装着した際、袋体３を形成する半円柱型形状体の半径側の平坦状な部分が、振動器４を内蔵している本体部２を備えて構成されている振動伝達部の人体に対面する箇所になる。そこで、本体部２を構成する袋体３の半円柱型形状体の半径側の平坦状な部分が皮膚接触部２ａになる。
【００１６】
皮膚接触部２ａは、本実施形態の健康器具１を人体の所定部位（腹部、腕、太腿、脚部、等）に装着した際に前記部位の皮膚と接触する部分であって、振動器４が発生する振動を人体に対して伝播させる部分である。そこで、皮膚接触部２ａは前記部位の凹凸等の形状に応じて変形可能な可撓性を有するものになっている。
【００１７】
この実施形態における健康器具１が備えている電極を介して人体に電気刺激を与える電気刺激付与部は、健康器具１が人体の一部に巻き付け装着された際に振動伝達部が人体に対面する箇所に設けられている。そこで、皮膚接触部２ａに電気刺激付与部が設けられている。
【００１８】
この実施形態では、従来から電極を身体に張り付け当該電極を介して身体の筋肉に電気刺激を与える筋肉電気刺激装置（いわゆるＥＭＳ装置）に採用されている電極部１０が電気刺激付与部として皮膚接触部２ａに配備されている。
【００１９】
この実施形態の健康器具１が備えている粘着シート１１は、電気刺激付与部である電極部１０の上に積層されている導電性及び粘着性を有する粘着シートである。
【００２０】
この粘着シート１１としては、従来のＥＭＳ装置を使用する際の電極部に装着される、交換可能で、導電性及び粘着性を有する粘着シートを用いることができる。ジェルによる粘性を利用して貼り付け、取り外しが可能、すなわち、交換可能な、いわゆるジェルパッドを使用することができる。
【００２１】
皮膚接触部２ａに配備されている電極部１０の上に積層されている、例えば、電極部１０の上に貼付けられている粘着シート１１を介して電極部１０からの電気刺激を人体に与えるものである。
【００２２】
健康器具１を人体の一部（例えば、腹部など）に巻き付け装着すると、電極を介して人体に電気刺激を与える電気刺激付与部である電極部１０が、粘着シート１１を介して人体の表面（例えば、腹部表面）に接触する。
【００２３】
ここで、操作部８を操作して振動器４から振動を生ぜさせると、その振動は、振動器４を内蔵している本体部２を介して人体に伝播される。振動器４としては従来公知の振動器を使用することができる。例えば、上記特許文献１に提案されているモータ振動器を使用することができる。
【００２４】
同時に、操作部８を操作して電極部１０からの電気刺激を、交換可能で、導電性及び粘着性を有する粘着シート１１を介して、人体に与えることができる。
【００２５】
添付の図面では図示を省略しているが所定の電源コードを介して本体部２に内蔵されている振動器４への電源供給と、ＥＭＳ装置における電極としての役割を果たす電極部１０への電源が入力される。また、図示していないが、本体部２に蓄電池（不図示）を内蔵しておき、この蓄電池（不図示）から振動器４及び、電極部１０への電源入力を行うようにすることもできる。
【００２６】
ベルト５は、図示の実施形態では、本体部２の一方の端部から外方へ伸びる方向に形成され、人体の腹部、等の所定部位に健康器具１を装着するのに十分な長さを有している。図示の実施形態では、ベルト５の表面５ａの先端部５ｄには、フック部６ａ及びループ部６ｂからなる面ファスナーが設けられている。また、フック部６ａとループ部６ｂとの間には折返部５ｃが形成されている。
【００２７】
ベルト５及びベルト環７は、本体部２を人体に着脱可能な着脱手段を構成する。この着脱手段としての機能を有していれば、その構成はベルト５及びベルト環７に限られない。例えば、ベルト環７の代わりに尾錠を採用し、ベルト５と尾錠とによって本体部２を人体に着脱可能にする構成や、スナップボタン等のボタン部材をベルト５及び本体部２に設け、このボタン部材によって本体部２を人体に着脱可能にする構成を採用することができる。
【００２８】
また、皮膚接触部２ａの電極部１０の上に積層されている、交換可能で、導電性及び粘着性を有する粘着シート１１によって本体部２を人体に着脱可能にする構成も採用することができる。
【００２９】
図示の実施形態では、上述し、図１に図示したように、ベルト環７が取り付けられている側の本体部２からのベルト部分が短く、他方の側のベルト部分が長くなっていて、長い方のベルト部分の先端部５ｄをベルト環７に挿入させて折り返し、フック部６ａ及びループ部６ｂからなる面ファスナーで取り付け、固定する形態になっている。健康器具１の本体部２を人体に着脱可能な着脱手段としては、上述し、図示したものに限られない。本体部２の両側にそれぞれ短いベルト部が取り付けられ、その先端部にそれぞれベルト環が取り付けられていて、別パーツ化されているベルト様の取り付け、固定手段を介することで、健康器具１を人体の一部に巻き付け装着するようにすることもできる。
【００３０】
操作部８は、図示の実施形態では、板状体、棒状体、直方体、等の形状を有し、振動器４及び電極部１０の動作のＯＮ、ＯＦＦ切り換え、振動器４によって生じさせる振動の強さの調整、電極部１０を介して人体の筋肉に与えられる電気刺激となる電極部１０からの出力の調整を行うコントローラである。
【００３１】
図示の形態では、操作部８は、配線用孔９を挿通する配線コードを介して本体部２と接続されている。この他、本体部２又はベルト５の内部に配備して、操作ボタン部などが本体部２又はベルト５の表面に表れるような構成とすることができる。
【００３２】
以上の構成を備える本実施形態の健康器具１を人体へ装着して使用する一例を図４を参照して説明する。図示の例では腹部への装着としている。
【００３３】
人体の腹部１２に本体部２の皮膚接触部２ａを当接させ、腹部１２の外周に沿ってベルト５を巻き付け、先端部５ｄをベルト環７に挿通し、折返部５ｃに沿って表面５ａ側に折り、フック部６ａ及びループ部６ｂで係止する。これによって健康器具１が腹部１２に装着される。また、これにより、本体部２の皮膚接触部２ａに配備されている電極部１０が粘着シート１１を介して腹部１２の表面に接触する。
【００３４】
使用者は操作部８を操作して、振動器４及び電極部１０を作動させ、振動器４が発生する振動によって腹部１２が刺激され、電極部１０を介して腹部１２の筋肉に対して電気刺激が与えられる。
【００３５】
また、操作部８を操作することで、振動器４だけを作動させて振動だけを付与する健康器具１として使用したり、電極部１０を介して腹部１２の筋肉に対する電気刺激が与えられるだけの健康器具１として使用することもできる。
【００３６】
このように、本実施形態では、身体に振動を付与することによる効果と、電極を介して身体の筋肉などに電気刺激を与えることによる効果との双方を与える、あるいは、この中のどちらか一方だけの効果を与える健康器具１とすることができる。
【００３７】
以上、添付図面を参照して本発明の実施形態を説明したが、本発明はかかる実施形態に限られず特許請求の範囲の記載から把握される技術的範囲において種々に変更可能である。
【符号の説明】
【００３８】
１  健康器具
２  本体部
２ａ  皮膚接触部
３  袋体
４  振動器
５  ベルト
５ａ  表面
５ｂ  裏面
５ｃ  折返部
５ｄ  先端部
６  面ファスナー
６ａ  フック部
６ｂ  ループ部
７  ベルト環
８  操作部
９  配線用孔
１０  電極部
１１  粘着シート
１２  腹部
【図１】
2019217120.tif 000003
【図２】
2019217120.tif 000004
【図３】
2019217120.tif 000005
【図４】
2019217120.tif 000006